(57)【要約】【課題】取得した画像データに行う補正処理に用いる補正パラメータを容易に算出し、算出された補正パラメータを用いた単純な補正処理により画像の再現性を向上する画像処理装置を提供する。【解決手段】制御部が生成したＬａｂ表色系のテスト画像データを、第２表色系変換部がＣＭＹＫ表色系のテスト画像データに変換し、記録部が記録紙に記録し、該記録紙に記録されたテスト画像を、読取部がＲＧＢ表色系のテスト画像データとして読み取り、第１表色系変換部３２がＬａｂ表色系のテスト画像データに変換する。補正パラメータ算出部３４は、上述のように各処理が施されたテスト画像データと、制御部が生成したテスト画像データとを比較することにより、色補正部３３が行う補正処理に用いる補正パラメータを算出する。【選択図】　　　　図２
2004088494.tif 000002
【特許請求の範囲】
【請求項１】
第１表色系の画像データを取得する画像取得手段と、該画像取得手段が取得した第１表色系の画像データを、明度情報を含む第２表色系の画像データに変換する第１変換手段と、該第１変換手段が変換した第２表色系の画像データを、第３表色系の画像データに変換する第２変換手段と、該第２変換手段が変換した第３表色系の画像データを記録シートに記録する記録手段とを備える画像形成装置において、
第２表色系のテスト画像データを生成する生成手段と、
該生成手段が生成したテスト画像データ，及び該テスト画像データを前記第２変換手段により第３表色系のテスト画像データに変換して前記記録手段により記録シートに記録し、該記録シートに記録されたテスト画像を前記画像取得手段により取得して前記第１変換手段により変換したテスト画像データに基づき、補正パラメータを算出する算出手段と、
該算出手段が算出した補正パラメータに基づき、前記画像取得手段により取得されて前記第１変換手段により変換された画像データを補正する補正手段とを備えることを特徴とする画像形成装置。
【請求項２】
前記第２表色系のテスト画像データを記憶する記憶手段を備え、前記生成手段は、該記憶手段が記憶するテスト画像データを読み出すべくなしてあることを特徴とする請求項１に記載の画像形成装置。
【請求項３】
前記算出手段は、前記第２表色系のテスト画像データに含まれる明度情報に関する前記補正パラメータを算出すべくなしてあり、
前記補正手段は、前記明度情報に関する補正パラメータによる関数に基づき、前記画像取得手段により取得されて前記第１変換手段により変換された画像データを補正すべくなしてあることを特徴とする請求項１又は２に記載の画像形成装置。
【発明の詳細な説明】
【０００１】
【発明の属する技術分野】
本発明は、取得した画像データを異なる表色系に変換して記録シートへ記録する画像形成装置に関するものである。
【０００２】
【従来の技術】
カラー表示の原稿画像を読み取り、取得したカラー画像データを記録シートに記録するデジタルカラー複写機が普及しており、このような装置においては、原稿画像を、例えば、ＲＧＢ（Ｒ：赤，Ｇ：緑，Ｂ：青）表色系の画像データとして取得する。またデジタルカラー複写機は、取得したＲＧＢ表色系の画像データに、所定の数式により生成された変換テーブルに基づく表色系変換処理を行うことにより、例えば、ＣＭＹＫ（Ｃ：シアン，Ｍ：マゼンタ，Ｙ：イエロー，Ｋ：ブラック）表色系の画像データを生成し、このＣＭＹＫ表色系の画像データに基づき、読み取った画像データを記録シートに記録する。
このようなデジタルカラー複写機においては、原稿画像の色調を、複写先の記録シートへ正しく再現することが求められており、キャリブレーション機能を備えるものがある。
【０００３】
キャリブレーション機能とは、デジタルカラー複写機において、画像データの取得処理，表色系の変換処理，及び画像データの記録処理等の各処理による画質の劣化を軽減させるべく、ユーザからの指示により動作する機能であり、ユーザがこのキャリブレーション機能を動作させた場合、デジタルカラー複写機は、自身において予め記憶してあるテスト画像データ生成処理プログラムを実行等することによりＣＭＹＫ表色系のテスト画像データを生成し、該テスト画像データを記録シートに記録する。
またユーザは、このテスト画像が記録された記録シートを、デジタルカラー複写機に備える原稿トレイ上に載置して画像の読取を指示し、デジタルカラー複写機は、原稿トレイ上に載置された記録シートに記録されたテスト画像を読み取り、読み取ったＲＧＢ表色系の画像データを、ＣＭＹＫ表色系の画像データに変換する。
【０００４】
そこでデジタルカラー複写機は、上述のように取得したテスト画像データと、自身において生成したＣＭＹＫ表色系のテスト画像データとを比較し、この比較結果に基づき、通常動作時において、読み取った画像データを補正するための補正パラメータを算出する。
またデジタルカラー複写機は、算出した補正パラメータを、所定の処理により、デジタルカラー複写機における表色系変換処理に用いる変換テーブルに反映させる。
【０００５】
上述のようなキャリブレーション機能は、デジタルカラー複写機の初期設定の際、又はユーザが指示した際に実行され、これにより、表色系変換処理に用いる変換テーブルに、補正パラメータを反映させることができる。
また、この変換テーブルを用いて表色系変換処理行うことにより、色調整を行った表色系変換処理を実現することができ、デジタルカラー複写機における各種処理による画質の劣化を軽減し、原稿画像の色調の記録シートへの再現性を向上させることができる。
【０００６】
【発明が解決しようとする課題】
しかし、ＲＧＢ表色系とＣＭＹＫ表色系とは単純な関係にはなく、上述のように算出された補正パラメータを、表色系変換処理に用いる変換テーブルに十分に反映させることは非常に困難であり、例えば、算出した補正パラメータを変換テーブルに反映させる処理をソフトウェアで実現する場合は、プログラムが膨大になると共に複雑化するという問題があり、また、前記処理をハードウェアで実現する場合は、回路規模が増大して製造コストが増すという問題があった。
【０００７】
本発明は斯かる事情に鑑みてなされたものであり、例えばＬ＊ａ＊ｂ＊（Ｌ＊：明度情報，ａ＊：赤〜緑の色情報，ｂ＊：黄〜青の色情報）表色系（以下、Ｌａｂ表色系という）等の明度情報を含む第２表色系のテスト画像データを生成し、生成したテスト画像データと、該テスト画像データを、第３表色系（例えばＣＭＹＫ表色系）のテスト画像データに変換して記録シートに記録し、該記録シートに記録されたテスト画像を読み取り、第２表色系に変換したテスト画像データとに基づき、補正パラメータを算出し、算出された補正パラメータに基づく補正処理を行う構成を備えることにより、同一の表色系における画像データに基づき容易に補正パラメータを算出し、また、第２表色系の画像データに対して、算出した補正パラメータに基づく補正処理が容易である画像形成装置を提供することを目的とする。
【０００８】
本発明の他の目的は、第２表色系のテスト画像データを記憶する記憶手段を備え、該記憶手段から読み出したテスト画像データに基づき補正パラメータを算出する構成を備えることにより、キャリブレーション機能の実行時において、前記記憶手段から読み出されたテスト画像データに各処理を行うことができ、キャリブレーション機能における各処理をスムーズに実行する画像形成装置を提供することにある。
【０００９】
本発明の更に他の目的は、補正パラメータを、第２表色系のテスト画像データに含まれる明度情報に基づき算出し、算出された明度情報に関する補正パラメータによる関数に従って、取得した画像データに補正処理を行う構成を備えることにより、補正パラメータの算出処理及び補正処理を容易に実行することができるとともに、補正すべき画像データにおいて色調のばらつきを除去し、画質の劣化を軽減する画像形成装置を提供することができる。
【００１０】
【課題を解決するための手段】
第１発明に係る画像形成装置は、第１表色系の画像データを取得する画像取得手段と、該画像取得手段が取得した第１表色系の画像データを、明度情報を含む第２表色系の画像データに変換する第１変換手段と、該第１変換手段が変換した第２表色系の画像データを、第３表色系の画像データに変換する第２変換手段と、該第２変換手段が変換した第３表色系の画像データを記録シートに記録する記録手段とを備える画像形成装置において、第２表色系のテスト画像データを生成する生成手段と、該生成手段が生成したテスト画像データ，及び該テスト画像データを前記第２変換手段により第３表色系のテスト画像データに変換して前記記録手段により記録シートに記録し、該記録シートに記録されたテスト画像を前記画像取得手段により取得して前記第１変換手段により変換したテスト画像データに基づき、補正パラメータを算出する算出手段と、該算出手段が算出した補正パラメータに基づき、前記画像取得手段により取得されて前記第１変換手段により変換された画像データを補正する補正手段とを備えることを特徴とする。
【００１１】
第１発明による場合は、画像取得手段が取得した第１表色系（例えば、ＲＧＢ表色系）の画像データを、明度情報を含む第２表色系（例えば、Ｌａｂ表色系）の画像データに変換し、更に、この第２表色系の画像データを、第２表色系（例えば、ＹＭＣＫ表色系）の画像データに変換して記録シートに記録する。
ここで、第２表色系のテスト画像データを生成し、生成したテスト画像データと、該テスト画像データを第２変換手段により第３表色系のテスト画像データに変換して、記録手段により記録シートに記録し、該記録シートに記録されたテスト画像を画像取得手段により取得して第１変換手段により変換したテスト画像データとに基づき、補正パラメータを算出し、算出された補正パラメータに基づく補正処理を行う構成を備えることにより、同一の表色系における画像データに基づき容易に補正パラメータを算出することができ、また、第２表色系の画像データに対して、算出した補正パラメータに基づく補正処理を行うため、補正パラメータに更に処理を加える必要がなく、補正処理が容易である画像形成装置を実現することができる。
【００１２】
第２発明に係る画像形成装置は、第１発明に係る画像形成装置において、前記第２表色系のテスト画像データを記憶する記憶手段を備え、前記生成手段は、該記憶手段が記憶するテスト画像データを読み出すべくなしてあることを特徴とする。
【００１３】
第２発明による場合は、第２表色系のテスト画像データを記憶する記憶手段を備え、該記憶手段から読み出したテスト画像データに基づき補正パラメータを算出する構成を備えることにより、キャリブレーション機能の実行時において、前記記憶手段から読み出されたテスト画像データに各処理を行うことができ、キャリブレーション機能における各処理をスムーズに実行する画像形成装置を実現することができる。
【００１４】
第３発明に係る画像形成装置は、第１又は第２発明に係る画像形成装置において、前記算出手段は、前記第２表色系のテスト画像データに含まれる明度情報に関する前記補正パラメータを算出すべくなしてあり、前記補正手段は、前記明度情報に関する補正パラメータによる関数に基づき、前記画像取得手段により取得されて前記第１変換手段により変換された画像データを補正すべくなしてあることを特徴とする。
【００１５】
第３発明による場合は、補正パラメータを、第２表色系のテスト画像データに含まれる明度情報に基づき算出し、算出された明度情報に関する補正パラメータによる関数に従って、取得した画像データに補正処理を行う構成を備えることにより、補正パラメータの算出処理及び補正処理を容易に実行することができるとともに、補正すべき画像データにおいて色調のばらつきを除去し、画質の劣化を軽減する画像形成装置を実現することができる。
【００１６】
【発明の実施の形態】
以下に、本発明に係る画像形成装置を、その実施の形態であるデジタルカラー複写機を用いて詳述する。図１は本発明に係るデジタルカラー複写機の構成を示すブロック図であり、図中１はデジタルカラー複写機を示している。
このデジタルカラー複写機１は、制御部１０，ＲＯＭ１１，ＲＡＭ１２，読取機構制御部１３，ＣＣＤ（画像取得手段）１４，表示部１６，操作部１７，記録部（記録手段）１８，画像処理部３，メモリ管理回路２０，及び第２表色系変換部（第２変換手段）１９等を備えている。
制御部１０は、具体的にはＣＰＵ（Ｃｅｎｔｒａｌ　Ｐｒｏｃｅｓｓｉｎｇ　Ｕｎｉｔ）　等で構成され、システムバス２１を介してデジタルカラー複写機１の上述したようなハードウェア各部と接続されており、それらを制御すると共に、ＲＯＭ１１に格納されたコンピュータプログラムに従って、種々のソフトウェア的機能を実行する。
【００１７】
ＲＯＭ１１は、本発明のデジタルカラー複写機１の動作に必要な種々のコンピュータプログラム，及びデジタルカラー複写機１においてキャリブレーション機能の実行時において用いるテスト画像データを生成するためのテスト画像データ生成処理プログラム１１ａを予め格納している。
尚、制御部１０は、テスト画像データ生成処理プログラム１１ａを実行することにより、テスト画像データを生成する生成手段として動作し、これにより、各画素のＬ成分，ａ成分及びｂ成分を夫々８ビットのデータで表されたテスト画像データが生成される。尚、このテスト画像データは、各画素のＬ成分，ａ成分又はｂ成分のいずれか１成分が線形に変化するように生成される。
【００１８】
またＲＯＭ１１は、画像処理部３における第１表色系変換部３２が行う表色系変換処理に用いられる変換処理プログラム１１ｂ、及び第２表色系変換部１９が行う表色系変換処理に用いられる変換テーブル１１ｃを記憶している。
ＲＡＭ１２は、ＳＲＡＭ又はフラッシュメモリ等で構成され、制御部１０による各プログラムの実行時に発生するデータを一時的に記憶する。尚、ＲＡＭ１２にフラッシュメモリを使用した場合には、停電，デジタルカラー複写機１の移動等のために電源が遮断された場合であっても、記憶内容が失われることはない。
【００１９】
表示部１６は、液晶ディスプレイ（ＬＣＤ）等の表示装置であり、デジタルカラー複写機１の動作状況、出力すべく画像メモリ１５から読み出した画像データの表示等を行う。
操作部１７は、デジタルカラー複写機１を操作するために必要な各種のファンクションキー，ユーザの押下によりキャリブレーション機能を実行するキャリブレーションモードに設定するキャリブレーションキー１７ａ，及び複写処理の実行を指示するスタートキー１７ｂを備えている。尚、表示部１６をタッチパネル方式のものとすることにより、操作部１７の各種のキーのうちの一部又は全部を代用することも可能である。
【００２０】
ＣＣＤ（Ｃｈａｒｇｅ　Ｃｏｕｐｌｅｄ　Ｄｅｖｉｃｅ）　１４は、画像取得手段として動作し、原稿からの反射光像を、ＲＧＢにより表現される表色系のアナログ信号として読み取り、読み取ったアナログ信号による画像データを画像処理部３に入力する。
読取機構制御部１３は、ＣＣＤ１４により読み取られる原稿を搬送する搬送機構の動作等を制御する。
【００２１】
画像処理部３，メモリ管理回路２０及び第２表色系変換部１９は夫々、イメージバス２２を介して接続しており、このイメージバス２２を介して、画像メモリ１５とも接続されている。
画像処理部３は、後述する構成を有しており、ＣＣＤ１４から取得したアナログ信号による画像データに所定の処理を施すと共に、第１表色系変換部３２によりＬａｂ表色系の画像データに変換し、メモリ管理回路２０からの指示に従い、イメージバス２２を介して画像メモリ１５に記憶する。
【００２２】
画像メモリ１５は、ＤＲＡＭ等により構成されており、メモリ管理回路２０からの指示に従って、画像処理部３から取得した画像データを記憶する。尚、本実施の形態において、画像処理部３から出力される画像データは、Ｌａｂ表色系において各画素のＬ成分，ａ成分及びｂ成分は夫々８ビットのデータにより示されている多値の画像データである。
第２表色系変換部１９は、メモリ管理回路２０からの指示に従い、画像メモリ１５に記憶してある画像データを取得し、ＲＯＭ１１に記憶してあり、制御部１０の制御によりＲＡＭ１２に読み出された変換テーブル１１ｃに基づき補間演算を行い、例えばＣＭＹＫ表色系の画像データに変換して記録部１８に入力する。
記録部１８は、電子写真方式のプリンタ装置であって、出力すべく第２表色系変換部１９により表色系変換された画像データを、ハードコピーとしてＡ３縦，Ｂ４縦，Ａ４縦，Ｂ５横及びＡ５横等の各サイズの記録紙又はＯＨＰ（Ｏｖｅｒ　ＨｅａｄＰｒｏｊｅｃｔｏｒ）　シートから最適なサイズのものを選択して記録する。
【００２３】
図２は画像処理部３の構成を示すブロック図であり、この画像処理部３は、ＡＦＥ（Ａｎａｌｏｇ　Ｆｒｏｎｔ　Ｅｎｄ：アナログ・フロント・エンド）３０，シェーディング補正部３１，第１表色系変換部（第１変換部）３２，色補正部（補正手段）３３，補正パラメータ算出部（算出手段）３４，切替部３５等を備えている。
ＡＦＥ３０は、増幅回路（図示せず），サンプルホールド回路（図示せず），Ａ／Ｄ（アナログ／デジタル）変換器（図示せず）等を備え、ＣＣＤ１４により読み取られたＲＧＢ表色系におけるＲ成分，Ｇ成分及びＢ成分夫々を示すアナログ信号を、増幅回路により所定の大きさに増幅し、この増幅されたアナログ信号を、サンプルホールド回路により一定のタイミング毎にサンプルホールドし、この各値をＡ／Ｄ変換器によりデジタル信号に変換する。尚、本実施の形態においては、Ａ／Ｄ変換器は、８ビットのデジタル信号を出力しており、ＡＦＥ３０から出力される画像データは、各画素のＲ成分，Ｇ成分及びＢ成分夫々を８ビットのデータで表した多値の画像データである。
【００２４】
上述のようにＡＦＥ３０により生成されたＲＧＢ表色系のデジタル信号である画像データは、シェーディング補正部３１に入力される。
シェーディング補正部３１は、入力されたＲＧＢ表色系の画像データに対して、ＣＣＤ１４の照明系，結像系及び撮像系で生じた各種の歪みを取り除く補正を行い、補正したＲＧＢ表色系の画像データを第１表色系変換部３２に入力する。
【００２５】
第１表色系変換部３２は、制御部１０の制御が、ＲＯＭ１１からＲＡＭ１２に読み出した変換処理プログラム１１ｂを実行することにより、取得したＲＧＢ表色系の画像データを、補正処理において扱い易い、例えばＬａｂ表色系の画像データに変換し、色補正部３３及び補正パラメータ算出部３４に入力する。尚、制御部１０による変換処理プログラム１１ｂの実行により、ＲＧＢ表色系の画像データに、行列変換処理等が施されＬａｂ表色系の画像データが生成される。
また、このＬａｂ表色系の画像データにおいても、各画素のＬ成分，ａ成分及びｂ成分夫々は、８ビットのデータで表されている。
【００２６】
補正パラメータ算出部３４は、ユーザによりキャリブレーションキー１７ａが押下され、キャリブレーションモードに設定されている場合、第１表色系変換部３２から入力されたＬａｂ表色系の画像データを、制御部１０がテスト画像データ生成処理プログラム１１ａを実行することにより予め生成してあるテスト画像データと比較することにより、色補正部３３が行う補正処理に用いる補正パラメータを算出し、算出した補正パラメータを色補正部３３に入力する。
色補正部３３は、キャリブレーションモードに設定されている場合、補正パラメータ算出部３４から取得した補正パラメータを、自身に備えるレジスタ（図示せず）に記憶させ、また、キャリブレーションキー１７ａが押下されておらず通常動作時には、第１表色系変換部３２により入力されたＬａｂ表色系の画像データを、キャリブレーションモード時においてレジスタに記憶した補正パラメータに基づいて補正し、切替部３５に入力する。
【００２７】
制御部１０は、ＲＯＭ１１に記憶してあるテスト画像データ生成処理プログラム１１ａを実行することにより、Ｌａｂ表色系のテスト画像データを生成する生成手段として動作しており、切替部３５には、この生成されたテスト画像データと、色補正部３３からの補正処理後のＬａｂ表色系の画像データとが入力されている。
切替部３５は、制御部１０からの切替信号に基づき、一方の画像データを選択し、選択された画像データを、イメージバス２２を介して画像メモリ１５に記憶させる。具体的には、ユーザによりキャリブレーションキー１７ａが押下された場合には、生成されたテスト画像データを画像メモリ１５に記憶し、キャリブレーションキー１７ａが押下されていない場合、即ち、デジタルカラー複写機１の通常動作時には、色補正部３３から取得した画像データを画像メモリ１５に記憶させる。
【００２８】
上述したように、取得したＲＧＢ表色系の画像データを、例えばＣＭＹＫ表色系の画像データに変換して記録シートに記録する場合に、ＲＧＢ表色系の画像データを、一旦、補正処理において扱い易いＬａｂ表色系の画像データに変換し、このＬａｂ表色系の画像データにおいて補正処理を行うことにより、単純な補正処理により画像の再現性を向上させることができる。
【００２９】
以下に、上述した構成のデジタルカラー複写機１によるキャリブレーション機能実行時における制御部１０の処理手順について説明する。図３は本発明に係るデジタルカラー複写機１によるキャリブレーション処理手順を示すフローチャートである。
ユーザは、デジタルカラー複写機１を購入した直後における初期設定の際、及びデジタルカラー複写機１から出力される画像の再現性が低下したと感じた際に、キャリブレーション機能を実行させるべく、操作部１７に備えるキャリブレーションキー１７ａをオンする。
【００３０】
ユーザによりキャリブレーションキー１７ａがオンされた場合（Ｓ１）、制御部１０は、デジタルカラー複写機１が備えるハードウェア各部に対してキャリブレーションモードに設定する（Ｓ２）。具体的には、画像処理部３に備える補正パラメータ算出部３４及び切替部３５に、キャリブレーションモードを示す切替信号を入力する。
次に制御部１０は、ＲＯＭ１１に記憶してあるテスト画像データ生成処理プログラム１１ａをＲＡＭ１２に読み出し、このプログラムに含まれるプログラムコードを順次実行することにより、８ビットの多値データで各画素を表したＬａｂ表色系のテスト画像データを生成し（Ｓ３）、生成したテスト画像データを、画像処理部３の切替部３５に入力する。
【００３１】
切替部３５は、上述のようにキャリブレーションモードに設定された場合、制御部１０により入力されたテスト画像データを、メモリ管理回路２０の指示に従って、イメージバス２２を介して画像メモリ１５に記憶させる。また制御部１０は、メモリ管理回路２０により、画像メモリ１５から前記テスト画像データを、イメージバス２２を介して第２表色系変換部１９に入力させ、第２表色系変換部１９により、このＬａｂ表色系のテスト画像データを、ＣＭＹＫ表色系のテスト画像データに変換し、記録部１８によりテスト画像として記録シートに記録する（Ｓ４）。
ユーザは、上述のようにテスト画像が記録された記録シートを、デジタルカラー複写機１に備える原稿トレイ（図示せず）上に載置し、スタートキー１７ｂをオンする。
【００３２】
制御部１０は、ユーザによりスタートキー１７ｂがオンされた場合（Ｓ５）、原稿トレイ上の記録シートに記録されたテスト画像を、ＣＣＤ１４により読み取り、ＲＧＢ表色系のテスト画像データを取得する（Ｓ６）。
また、制御部１０は、ＣＣＤ１４により取得されたテスト画像データを、画像処理部３に入力し、順次、ＡＦＥ３０，シェーディング補正部３１，及び第１表色系変換部３２により処理することにより、Ｌａｂ表色系のテスト画像データに変換し（Ｓ７）、生成されたテスト画像データを補正パラメータ算出部３４に入力する。
【００３３】
次に制御部１０は、画像処理部３の補正パラメータ算出部３４により、ステップＳ３において生成されたＬａｂのテスト画像データと、ステップＳ７において変換されたテスト画像データとを比較し、この比較結果に基づき、補正パラメータを算出する（Ｓ８）。この補正パラメータは、例えばＬａｂ表色系における明度情報であるＬ成分で表現されており、この補正パラメータを比例定数とした線形関数に基づき、色補正部３３が、処理対象である画像データを補正することにより、より画質の劣化を軽減することができる。
制御部１０は、上述のように補正パラメータ算出部３４により算出された補正パラメータを、色補正部３３に備える所定のレジスタに記憶させることにより、補正処理に用いる補正パラメータとして設定し（Ｓ９）、キャリブレーション処理を終了する。
【００３４】
上述のように、補正処理において扱い易いＬａｂ表色系において、補正パラメータを算出し、算出された補正パラメータに基づく補正処理を行うことにより、より容易に補正パラメータを算出することができると共に、単純な補正処理により画質の劣化を軽減することができる。
また、上述した実施の形態においては、予めＲＯＭ１１に記憶してあるテスト画像データ生成処理プログラム１１ａを記憶させておき、制御部１０がこのプログラムを実行することにより、Ｌａｂ表色系のテスト画像データを生成する構成を有しているが、キャリブレーション処理に用いるテスト画像データ自体を予め記憶しておく構成としてもよくい。尚、テスト画像データ自体を記憶しておく場合には、該テスト画像データを圧縮して記憶することにより、メモリの容量を削減することが望ましい。
【００３５】
【発明の効果】
第１発明による場合は、画像取得手段が取得した第１表色系（例えば、ＲＧＢ表色系）の画像データを、明度情報を含む第２表色系（例えば、Ｌａｂ表色系）の画像データに変換し、更に、この第２表色系の画像データを、第２表色系（例えば、ＹＭＣＫ表色系）の画像データに変換して記録シートに記録する。
ここで、第２表色系のテスト画像データを生成し、生成したテスト画像データと、該テスト画像データを第２変換手段により第３表色系のテスト画像データに変換して、記録手段により記録シートに記録し、該記録シートに記録されたテスト画像を画像取得手段により取得して第１変換手段により変換したテスト画像データとに基づき、補正パラメータを算出し、算出された補正パラメータに基づく補正処理を行う構成を備えることにより、同一の表色系における画像データに基づき容易に補正パラメータを算出することができ、また、第２表色系の画像データに対して、算出した補正パラメータに基づく補正処理を行うため、補正パラメータに更に処理を加える必要がなく、容易に補正処理を実行することができる。
【００３６】
第２発明による場合は、第２表色系のテスト画像データを記憶する記憶手段を備え、該記憶手段から読み出したテスト画像データに基づき補正パラメータを算出する構成を備えることにより、キャリブレーション機能の実行時において、前記記憶手段から読み出されたテスト画像データに各処理を行うことができ、キャリブレーション機能における各処理をスムーズに実行することができる。
【００３７】
第３発明による場合は、補正パラメータを、第２表色系のテスト画像データに含まれる明度情報に基づき算出し、算出された明度情報に関する補正パラメータによる関数に従って、取得した画像データに補正処理を行う構成を備えることにより、補正パラメータの算出処理及び補正処理を容易に実行することができるとともに、補正すべき画像データにおいて色調のばらつきを除去し、画質の劣化を軽減することができる。
【図面の簡単な説明】
【図１】本発明に係るデジタルカラー複写機の構成を示すブロック図である。
【図２】画像処理部の構成を示すブロック図である。
【図３】本発明に係るデジタルカラー複写機によるキャリブレーション処理手順を示すフローチャートである。
【符号の説明】
１　デジタルカラー複写機
１４　ＣＣＤ（画像取得手段）
１８　記録部（記録手段）
１９　第２表色系変換部（第２変換部）
３　画像処理部
３２　第１表色系変換部（第１変換部）
３３　色補正部（補正手段）
３４　補正パラメータ算出部（算出手段）
【図１】
2004088494.tif 000003
【図２】
2004088494.tif 000004
【図３】
2004088494.tif 000005